(57)【要約】【課題】ドローンなどの移動体装置と、リモートコントローラとして機能するスマートフォンとを含む移動体システムにおいて、暗所でも移動体装置を移動可能にする。【解決手段】移動体装置を、回転可能な翼と、前記翼に連結されたモータと、前記モータを駆動する翼駆動部と、被写体を撮像するカメラと、前記被写体から放射される赤外線を取得する赤外線カメラと、前記翼駆動部を制御する制御部と、を備える構成とする。【選択図】図２
2018140686.tif 000002
【特許請求の範囲】
【請求項１】
回転可能な翼と、
前記翼に連結されたモータと、
前記モータを駆動する翼駆動部と、
被写体を撮像するカメラと、
前記被写体から放射される赤外線を取得する赤外線カメラと、
前記翼駆動部を制御する制御部と、を備える、
移動体装置。
【請求項２】
前記赤外線カメラは被写体を撮像可能である、
請求項１に記載の移動体装置。
【請求項３】
前記制御部は、前記カメラの撮像結果と、前記赤外線カメラの撮像結果に基づいて、被写体を立体的に捕捉可能である、
請求項２に記載の移動体装置。
【請求項４】
位置を測位可能な測位部と、
前記測位部によって測位された位置情報を記憶する記憶部と、
前記翼駆動部に電力を供給するバッテリーと、をさらに備え、
前記制御部は、前記バッテリーの残量が所定値より少なくなったことを検出したとき、前記記憶部に記憶された過去の位置情報の位置まで移動するよう前記翼駆動部を制御する、
請求項１〜請求項３のいずれか１項に記載の移動体装置。
【請求項５】
位置を測位可能な測位部と、
前記測位部によって測位された位置情報を記憶する記憶部と、
リモートコントローラから信号を受信する通信部と、をさらに備え、
前記制御部は、前記通信部が前記リモートコントローラと通信不能な状態になったことを検出したとき、前記記憶部に記憶された過去の位置情報の位置まで移動するよう前記翼駆動部を制御する、
請求項１〜請求項３のいずれか１項に記載の移動体装置。
【請求項６】
請求項１〜請求項５のいずれか１項に記載の移動体装置と、
前記移動体装置と通信可能なリモートコントローラと、を有する移動体システムであって、
前記リモートコントローラは、
前記移動体装置に信号を送信する通信部と、
音声を取得するマイクと、
前記マイクが取得した所定の音声に応じて、前記移動体装置に信号を送信する操作モードと、前記移動体装置への信号の送信を停止する非操作モードと、を切り替える制御部と、を備える、
移動体システム。
【請求項７】
請求項１〜請求項５のいずれか１項に記載の移動体装置、または請求項６に記載の移動体システムを利用する、
ゲームアプリケーション。
【発明の詳細な説明】
【技術分野】
【０００１】
本発明の一態様は、飛行可能なドローンなどの移動体装置、及び同移動体装置を制御可能なリモートコントローラを含む移動体システムなどに関する。
【背景技術】
【０００２】
近年、ドローンと呼ばれる小型の飛行体が普及してきており、様々な分野で活用されつつある。一の活用事例として、ドローンにカメラを搭載し、カメラで撮影された画像を確認しながらドローンを操作することがある。例えば特許文献１には、移動機器の上空を、カメラを搭載した飛行体が飛行し、カメラによって移動機器の周囲の状況を検出する装置が開示されている。
【先行技術文献】
【特許文献】
【０００３】
【特許文献１】特開２０１６−１８１１１９号公報
【発明の概要】
【発明が解決しようとする課題】
【０００４】
しかしながら、従来の通常のカメラを備えるドローンでは、暗い場所に入るなどして周囲が暗くなった場合に、通常のカメラでは光量が不足するために周囲の状況を把握できず、飛行困難になってしまうことがあった。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の一の手段は、
回転可能な翼（１２２ａ、１２２ｂ、１２２ｃ、１２２ｄ）と、
前記翼に連結されたモータ（１２１ａ、１２１ｂ、１２１ｃ、１２１ｄ）と、
前記モータを駆動する翼駆動部（１３）と、
被写体を撮像するカメラ（１１）と、
前記被写体から放射される赤外線を取得する赤外線カメラ（１２）と、
前記翼駆動部を制御する制御部（１０）と、を備える、
移動体装置（１）である。
【０００７】
上記構成の移動体装置によれば、赤外線カメラを備えることで、周囲が暗い場所でも周囲の状況を把握可能な構成とすることができる。これにより、暗所でも安全に飛行可能な移動体装置とすることができる。
【０００８】
上記移動体装置において、好ましくは、
前記赤外線カメラは被写体を撮像可能である。
【０００９】
上記構成の移動体装置によれば、赤外線カメラを、暗所用の赤外線カメラとしてだけではなく、通常のカメラとしても使用可能な構成にすることができる。
【００１０】
上記移動体装置において、好ましくは、
前記制御部は、前記カメラの撮像結果と、前記赤外線カメラの撮像結果に基づいて、被写体を立体的に捕捉可能である。
【００１１】
上記構成の移動体装置によれば、カメラと赤外線カメラとによって被写体を立体的に捕捉可能であるため、障害物に衝突することなく安全に飛行することが可能となる。また、赤外線カメラが、通常カメラと同様に被写体を撮像可能に構成しているため、赤外線カメラを、被写体を立体的に捕捉するためのカメラと、暗所用のカメラとして兼用することが可能となる。これにより、２以上のカメラに加えて赤外線カメラを別に設ける構成と比較して、移動体装置を小型に構成することなどが可能となる。
【００１２】
上記移動体装置において、好ましくは、
位置を測位可能な測位部（１５）と、
前記測位部によって測位された位置情報を記憶する記憶部（１８）と、
前記翼駆動部に電力を供給するバッテリー（１６）と、をさらに備え、
前記制御部は、前記バッテリーの残量が所定値より少なくなったことを検出したとき、前記記憶部に記憶された過去の位置情報の位置まで移動するよう前記翼駆動部を制御する。
【００１３】
上記構成の移動体装置によれば、バッテリーの残量が減った場合であっても、意図せず墜落してしまうことを防止することなどが可能となる。
【００１４】
上記移動体装置において、好ましくは、
位置を測位可能な測位部（１５）と、
前記測位部によって測位された位置情報を記憶する記憶部（１８）と、
リモートコントローラから信号を受信する通信部（１７）と、をさらに備え、
前記制御部は、前記通信部が前記リモートコントローラと通信不能な状態になったことを検出したとき、前記記憶部に記憶された過去の位置情報の位置まで移動するよう前記翼駆動部を制御する。
【００１５】
上記構成の移動体装置によれば、リモートコントローラから離れた場所に行き、操作不能な状態になったとしても、自動でユーザの場所まで戻る機能などを実行可能な構成とすることができる。
【００１６】
また、本発明の一の手段は、
上記いずれかの移動体装置（１）と、
前記移動体装置と通信可能なリモートコントローラ（２）と、を有する移動体システムであって、
前記リモートコントローラは、
前記移動体装置に信号を送信する通信部（２４）と、
音声を取得するマイク（２３）と、
前記マイクが取得した所定の音声に応じて、前記移動体装置に信号を送信する操作モードと、前記移動体装置への信号の送信を停止する非操作モードと、を切り替える制御部（２０）と、を備える、
移動体システムである。
【００１７】
上記構成の移動体システムによれば、移動体装置を操作中であっても、例えば、通話などの他の機能を実行可能な状態に簡易に切り替えることなどが可能となる。
【００１８】
また、本発明の一の手段は、
上記いずれかの移動体装置（１）を利用する、
ゲームアプリケーションソフトである。
【００１９】
上記構成のゲームアプリケーションソフトによれば、ユーザによるゲームの進行を支援することが出来、ユーザによる遊戯の幅を広げることが可能となる。
【図面の簡単な説明】
【００２０】
【図１】図１は、本実施形態のドローンの外観図である。
【図２】図２は、本実施形態の移動体システムの構成例を示す図である。
【発明を実施するための形態】
【００２１】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態
２．補足事項
【００２２】
＜１．実施形態＞
本実施形態の移動体装置は、所謂ドローンであって、通常のカメラに加えて赤外線カメラを搭載することで、暗所でも安全に飛行可能に構成していることを特徴の一つとする。以下、本発明の一実施形態について、図面を参照しながら具体的に説明する。
【００２３】
図１は、本実施形態のドローン１の外観斜視図である。図２は、ドローン１とスマートフォン２とを含む移動体システムの一構成例を示す図である。なお、ドローン１は、本発明における「移動体装置」の一例である。スマートフォン２は、ドローン１と無線通信することでドローン１を遠隔操作可能であって、所謂リモートコントローラとして機能する。つまり、スマートフォン２は、本発明における「リモートコントローラ」の一例である。なお、無線通信には、たとえば５ＧＨｚ帯や２．４ＧＨｚ帯の電波を利用する無線通信の技術が用いられる。
【００２４】
図１に示されるように、ドローン１は、本体部１ａ、カメラ１１、モータ１２１ａ、１２１ｂ、１２１ｃ、及び１２１ｄ、並びに翼１２２ａ、１２２ｂ、１２２ｃ、及び１２２ｄなどを含んで構成される。また、図２に示されるように、ドローン１は、制御部１０、カメラ１１、赤外線カメラ１２、翼駆動部１３、センサ１４、測位部１５、バッテリー１６、通信部１７、及び記憶部１８を含んで構成される。
【００２５】
なお、ここで具体的に説明する構成以外に、ドローン１は、出願時において所謂ドローンが有する基本的な機能を当然に搭載し、または搭載可能である。同様に、スマートフォン２は、出願時において所謂スマートフォンが有する基本的な機能を当然に搭載し、または搭載可能である。
【００２６】
＜カメラ１１＞
カメラ１１は、レンズ、鏡筒、及び撮像素子などを含み、被写体を撮像し、撮像結果を画像データとして制御部１０に出力するよう構成される。撮像素子は、被写体からの光を受光して画像データに変換可能な、Ｃ−ＭＯＳセンサまたはＣＣＤなどの光電変換素子である。カメラ１１は、入射光の一部を遮蔽する絞りを有する構成としても良い。
【００２７】
＜赤外線カメラ１２＞
赤外線カメラ１２は、レンズ、鏡筒、及び赤外線センサなどを含み、被写体から発せられる、または被写体が反射する赤外線を赤外線画像データとして取得するよう構成される。
【００２８】
赤外線カメラ１２は、赤外線のみを検知可能な赤外線センサに代えて、赤外線以外の波長を含む光を受光して、画像データに変換可能な他のセンサを有する構成としても良い。例えば、赤外線カメラ１２は、カメラ１１と同様の通常のカメラとしても機能する構成としても良い。
【００２９】
赤外線カメラ１２は、被写体に対して赤外線を照射する赤外線照射部を有する構成としても良く、この場合には、赤外線カメラ１２は被写体が反射した赤外線を赤外線画像データとして取得する。また、赤外線カメラ１２は、赤外線を照射する機能を有さない構成としても良く、この場合には、赤外線カメラ１２は被写体が発する赤外線を赤外線画像データとして取得する。また、スマートフォン２が赤外線照射可能な光源を有していてもよい。この場合、スマートフォン２のユーザが任意の位置に赤外線を照射することが出来る。
【００３０】
＜翼駆動部１３＞
翼駆動部１３は、制御部１０の制御によってドローン１の翼１２２ａ〜１２２ｄをそれぞれ駆動して、ドローン１を所定の方向に飛行させるよう構成される。より具体的には、翼駆動部１３は、制御部１０の制御により、モータ１２１ａ〜１２１ｄをそれぞれ所定の回転数で回転させ、互いの回転数を適切に制御することでドローン１を所定の方向に飛行させる。
【００３１】
＜センサ１４＞
センサ１４は、加速度センサ、角速度センサ、または温度センサなどの種々のセンサである。センサ１４は、ドローン１の置かれた状況を検知して制御部１０に通知する。より具体的には、センサ１４は、例えばドローン１の飛行速度を検知したり、本体部１ａの傾きなどの状態を検知したり、周囲の温度を検知したりすることができる。
【００３２】
＜測位部１５＞
測位部１５は、例えばＧＰＳ（Ｇｌｏｂａｌ  Ｐｏｓｉｔｉｏｎｉｎｇ  Ｓｙｓｔｅｍ）を利用して位置情報を取得する構成であって、ドローン１の位置情報を測位する。測位部１５は、測位した位置情報を、制御部１０を介して記憶部１８に記憶させる。なお、測位部１５は、必ずしもＧＰＳである必要はなく、その他の測位可能な構成であっても良い。たとえば、ＧＰＳ以外の技術を利用した測位部１５の例としては、ドローン１とスマートフォン２との無線通信における電波強度を利用した測位の技術により、ドローン１の位置情報を取得する方法などを適用可能である。
【００３３】
＜バッテリー１６＞
バッテリー１６は、充放電可能な蓄電部であって、充電により蓄電した電力をドローン１の各部に供給するよう構成される。つまり、バッテリー１６は、モータ１２１ａ〜１２１ｄ、制御部１０、カメラ１１、赤外線カメラ１２、翼駆動部１３、センサ１４、測位部１５、通信部１７、及び記憶部１８の一部または全部に電力を供給する。
【００３４】
＜通信部１７＞
通信部１７は、制御部１０の制御により、スマートフォン２を含む外部機器に対して信号を送受信可能に構成される。ただし、通信部１７は、信号を受信する機能のみを有する構成としても良い。つまり、通信部１７は、少なくともスマートフォン２から送信された信号を受信する。
【００３５】
＜記憶部１８＞
記憶部１８は、揮発性または不揮発性のメモリであって、種々のデータを記憶可能に構成される。特に、本実施形態では、記憶部１８は、ユーザがドローン１に対して、起動後に初めて移動指示を出した場所における測位情報を記憶する。また、記憶部１８は、所定の時間毎に、現在地における測位情報を記憶する。また、記憶部１８は、例えば制御部１０で使われるソフトウェアまたはファームウェアのデータや、カメラ１１で撮像した画像データ、及び赤外線カメラ１２で取得した赤外線画像データなどの種々のデータを記憶しても良い。
【００３６】
＜制御部１０＞
制御部１０は、例えばＣＰＵ、またはＡＳＩＣなどの半導体集積回路のような制御装置であって、ドローン１に含まれる各構成を制御可能に構成される。制御部１０は、ドローン１の各部を制御して種々の動作を行わせるが、本実施形態では、例えば以下のような動作が可能である。
【００３７】
＜制御部１０の制御によるドローン１の動作＞
制御部１０は、翼駆動部１３を制御してモータ１２１ａ〜１２１ｄに供給する電流の流れる方向及び大きさを変化させることで、モータ１２１ａ〜１２１ｄの回転方向及び時間当たりの回転数を制御する。これにより、制御部１０は、翼駆動部１３及びモータ１２１ａ〜１２１ｄを介して翼の回転を制御し、ドローン１の飛行方向、及び離着陸等を制御する。
【００３８】
制御部１０は、カメラ１１及び赤外線カメラ１２を制御し、被写体を撮像した画像データを取得することができる。カメラ１１と赤外線カメラ１２とは横方向に並べて配置されており、視差を有している。これにより、制御部１０は、カメラ１１により撮像した画像データと、赤外線カメラ１２により撮像した画像データとに基づいて、被写体を立体的に捕捉することができる。
【００３９】
制御部１０は、周囲が明るい状態では、カメラ１１により取得された画像データに基づいて周囲の状態を把握して飛行する。一方で、制御部１０は、周囲が暗い状態では、赤外線カメラ１２により取得された赤外線画像データに基づいて、周囲の状態を把握して飛行する。制御部１０は、取得した画像データまたは赤外線画像データを、通信部１７を介してスマートフォン２などの外部機器に送信することができる。
【００４０】
制御部１０は、バッテリー１６の残量を検出可能である。例えば、制御部１０は、バッテリー１６の残量を定量的に検出しても良いし、バッテリー１６の残量が所定値より少なくなったときにバッテリー１６から送信されるローバッテリー信号を受信することで残量を検出しても良い。制御部１０は、バッテリー１６の残量が所定値より少なくなったことを検知すると、記憶部１８に記憶された位置情報に基づいて、ユーザの元に飛行して戻る制御を行う。すなわち、制御部１０は、測位部１５が過去に測位した位置情報に基づいて飛行すべき場所を判定して、翼駆動部１３を制御することで、所定の位置に向かって飛行する。
【００４１】
制御部１０は、通信部１７の通信状態を確認することで、スマートフォン２との通信が可能な状態であるか否かを判定する。具体的には、通信部１７は、所定時間毎にスマートフォン２から送信される信号を受信することで、スマートフォン２との通信が可能な状態か否かを判定する。ここで、例えば、ドローン１がスマートフォン２との通信可能範囲を超えて移動すると、ドローン１とスマートフォン２との通信が不能となる。制御部１０は、通信部１７が所定時間以上スマートフォン２と通信できない通信不能状態になっていると判定すると、ドローン１が行方不明になることを防止するため、制御部１０は、ユーザの元に飛行して戻る制御を行う。すなわち、測位部１５が過去に測位した位置情報に基づいて飛行すべき場所を判定して、翼駆動部１３を制御することで、所定の位置（ユーザの位置）に向かって飛行する。
【００４２】
または、制御部１０は、通信不能になる前の位置に向かって飛行するような制御を行っても良い。このとき、制御部１０は、スマートフォン２との通信状態と、測位部１５で測位した位置情報とを関連づけて、記憶部１８に記憶させておく。制御部１０は、記憶部１８に記憶された、通信状態と位置情報とに基づいて、ドローン１がスマートフォン２と通信不能となった場所を判定し、その場所まで移動するような制御を行っても良い。
【００４３】
＜スマートフォン２＞
スマートフォン２は、図２に示されるように、制御部２０、表示部２１、操作部２２、マイク２３、通信部２４、及び記憶部２５を含んで構成される。
【００４４】
＜表示部２１＞
表示部２１は、例えばＬＣＤ（液晶表示装置）または有機ＥＬディスプレイなどの表示装置であって、制御部２０の制御により所定の画像を表示可能に構成される。表示部２１は、例えば、ドローン１のカメラ１１または赤外線カメラ１２によりにより取得されて送信されてきた画像データを、動的に（動画として）または静的に（静止画として）表示可能である。
【００４５】
＜操作部２２＞
操作部２２は、ユーザによる操作を検出して制御部２０に出力する。例えば、操作部２２は、表示部２１の表面に貼り付けられたタッチパネルに対するユーザの操作を検出する。
【００４６】
＜マイク２３＞
マイク２３は、周囲の音声を音声データとして取得して制御部２０に出力する。
【００４７】
＜通信部２４＞
通信部２４は、制御部２０の制御により、ドローン１を含む外部機器に対して信号を送受信可能に構成される。ただし、通信部２４は、信号を送信する機能のみを有する構成としても良い。つまり、通信部２４は、少なくともドローン１から送信された信号を受信する。
【００４８】
＜記憶部２５＞
記憶部２５は、通信部２４によって受信したデータや、スマートフォン２を動作させるためのアプリケーションソフトのプログラムなどを記憶する。
【００４９】
＜制御部２０＞
制御部２０は、例えばＣＰＵ、またはＡＳＩＣなどの半導体集積回路のような制御装置であって、スマートフォン２に含まれる各構成を制御可能に構成される。制御部２０は、スマートフォン２の各部を制御して種々の動作を行わせるが、本実施形態では、例えば以下のような動作が可能である。
【００５０】
制御部２０は、ドローン１を操作するためのアプリケーションソフト（ソフトウェア）を実行することで、ドローン１を遠隔操作することができる。制御部２０は、ドローン１を操作するためのアプリケーションソフト以外にも、種々のアプリケーションソフトを起動して所定の機能を実行したり、通話機能を実行したりすることができる。
【００５１】
制御部２０は、ドローン１を操作するアプリケーションソフトを実行しているときに、ユーザがマイクに向かって「アプリ終了」などの所定の発話を行うと、制御部２０はユーザによる発話を認識して、所定の動作を行わせる。例えば、制御部２０は、ユーザの発話に応じて、ドローン１を操作するアプリケーションソフトを実行する操作モードから、ドローン１への制御信号の送信を停止する非操作モードに切り替える処理を行う。
【００５２】
スマートフォン２のアプリケーションソフトの一例として、ゲームアプリケーションソフト（ゲーム）などが考えられる。たとえば、ドローン１の位置情報を、スマートフォン２の位置情報として置き換えることで、ドローン１の移動を、仮想的にスマートフォン２（またはスマートフォン２のユーザ）の移動として、ゲーム内において処理させることができる。たとえば、ゲームがスマートフォン２（ユーザ）の位置情報を用いたものである場合、ユーザが川、海、または崖等の障害物によって移動を制限されたとしても、ユーザはドローン１を利用することで障害物による移動の制限を受けることなく、ゲームを進行させることができる。なお、ゲームのデータ（プログラム）は、ネットワークとの通信を介してユーザが任意にダウンロードおよびインストールを行うことが出来る。また、ゲームのデータは、全てまたは一部がスマートフォン２の記憶部２５に記憶されてもよい。記憶部２５にゲームのプログラムの一部が記憶される場合、残りのデータはネットワーク上のサーバに記憶される。
【００５３】
本実施形態のドローン１によれば、カメラ１１に加え、赤外線カメラ１２を備えることで、周囲が暗い場所でも周囲の状況を把握可能な構成とすることができる。これにより、暗所でも安全に飛行可能な構成とすることができる。
【００５４】
また、本実施形態のドローン１によれば、赤外線カメラ１２が、カメラ１１同様に被写体を撮像可能であるため、赤外線カメラを、暗所用の赤外線カメラとしてだけではなく、通常のカメラとしても使用可能な構成にすることができる。
【００５５】
また、本実施形態のドローン１によれば、上記のように赤外線カメラ１２が、カメラ同様に被写体を撮像可能であり、これにより、視差を有する２の画像データを取得可能である。そのため、ドローン１は、カメラ１１と赤外線カメラ１２とによって取得された画像データによって被写体を立体的に捕捉可能であるため、障害物に衝突することなく安全に飛行することが可能となる。また、赤外線カメラ１２が、カメラ１１と同様に被写体を撮像可能に構成しているため、赤外線カメラ１２を、被写体を立体的に捕捉するためのカメラと、暗所用のカメラとして兼用することが可能となる。これにより、２以上のカメラに加えて赤外線カメラを別に設ける構成と比較して、ドローンを小型に構成することなどが可能となる。
【００５６】
また、本実施形態のドローン１によれば、制御部１０が、バッテリー１６の残量が所定量より少なくなったことを検出したとき、測位部１５により測位され、記憶部１８に記憶された過去の位置情報の位置まで移動するよう翼駆動部１３を制御することができる。そのため、ドローン１のバッテリー１６の残量が減った場合であっても、意図せず墜落してしまうことを防止することなどが可能となる。
【００５７】
また、本実施形態のドローン１によれば、制御部１０が、スマートフォン２と通信不能であることを検出したとき、測位部１５により測位され、記憶部１８に記憶された過去の位置情報の位置まで移動するよう翼駆動部１３を制御することができる。そのため、ドローン１が遠方まで飛んでしまい通信不能な状態になったとしても、自動的にユーザの元に戻るよう動作させることができる。
【００５８】
また、本実施形態のドローン１とスマートフォン２とを含む移動体システムでは、スマートフォン２のマイク２３が取得したユーザが発した所定の音声に応じて、ドローン１に信号を送信する操作モードと、ドローン１への信号の送信を停止する非操作モードとを切り替えることが可能である。そのため、本実施形態の移動体システムによれば、ドローン１を操作中であっても、例えば、通話などの他の機能を実行可能な状態に簡易に切り替えることなどができる。
【００５９】
また、本実施形態のドローン１を利用するゲームアプリケーションによれば、ユーザによるゲームの進行を支援することが出来る。たとえば、ゲームアプリケーションが位置情報を用いたものである場合、ユーザはドローン１を利用することで障害物による移動の制限を受けることなく、ゲームを進行させることができる。
【００６０】
＜２．補足事項＞
以上、本発明の実施形態についての具体的な説明を行った。上記説明は、あくまで一実施形態としての説明であって、本発明の範囲はこの一実施形態に留まらず、同様の技術思想に基づいて当業者が把握可能な範囲にまで広く解釈されるものである。
【００６１】
例えば、実施形態では、ドローン１及びスマートフォン２により移動体システムを構成していたが、ドローン１及びスマートフォン２は、それぞれ同様の機能を有する別の装置に置き換えても良い。例えば、スマートフォン２は、タブレット機器、またはノートＰＣなどの電子機器であっても良いし、所謂リモートコントローラであっても良い。ドローン１は、飛行可能な移動体、すなわち飛行体であれば良い。
【００６２】
ドローン１は、周囲３６０度の全体を撮影可能な全方位カメラを搭載しても良い。
【産業上の利用可能性】
【００６３】
本発明の移動体システムは、ゲーム機用のドローン操作システムなどとして好適に適用される。
【符号の説明】
【００６４】
１…ドローン
１ａ…本体部
１２１ａ〜１２１ｄ…モータ
１２２ａ〜１２２ｄ…翼
１０…制御部
１１…カメラ
１２…赤外線カメラ
１３…翼駆動部
１４…センサ
１５…測位部
１６…バッテリー
１７…通信部
１８…記憶部
２…スマートフォン
２０…制御部
２１…表示部
２２…操作部
２３…マイク
２４…通信部
２５…記憶部
【図１】
2018140686.tif 000003
【図２】
2018140686.tif 000004